(57)【要約】【課題】クラフトワイヤーを手に取る際に不具合が生じることを防止しつつ、所望のワイヤーを取りやすくして作業効率を向上させ、併せて複数の作業者に共有可能な新たなクラフトワイヤー整理保持具を提供する。【解決手段】クラフトワイヤー整理保持具は、棒状のクラフトワイヤーＷｉを保持するものであり、クラフトワイヤーＷｉを保持する有底筒状の複数のパイプ３が起立状態で設けられる回転支持部２と、鉛直方向の回転軸Ｃｎを中心として回転支持部２を回転自在に支持する土台部１とを有し、複数のパイプ３が、隣り合うパイプ間に間隙Ｗ１が設けられるように回転支持部２の回転する方向に沿って配置されている。【選択図】図１
2011038217.tif 000002
【特許請求の範囲】
【請求項１】
棒状のクラフトワイヤーを保持する整理保持具であって、
前記クラフトワイヤーを保持する有底筒状の複数のパイプが起立状態で設けられる回転支持部と、
鉛直方向の回転軸を中心として前記回転支持部を回転自在に支持する土台部とを具備してなり、
前記複数のパイプは、隣り合うパイプ間に間隙が設けられるように前記回転支持部の回転する方向に沿って配置されていることを特徴とするクラフトワイヤー整理保持具。
【請求項２】
前記複数のパイプは、第１パイプ又は前記第１パイプより短い第２パイプのいずれか一方に属し、第１パイプと第２パイプとが隣り合い且つ両パイプの開口端の高さ位置が異なるように配置されている請求項１に記載のクラフトワイヤー整理保持具。
【請求項３】
前記複数のパイプ以外に前記第２パイプよりも短い第３パイプを設けている請求項２に記載のクラフトワイヤー整理保持具。
【請求項４】
前記回転支持部は、前記複数のパイプを支持する位置に板状の支持板を有し、
前記支持板にクラフトに用いる小物を引っ掛けて保持するための引っ掛け部が形成されている請求項１〜３のいずれかに記載のクラフトワイヤー整理保持具。
【請求項５】
前記回転支持部は、前記複数のパイプを支持する位置に板状の支持板を有し、
前記支持板の周端部が中心部よりも高く形成されている請求項１〜４のいずれかに記載のクラフトワイヤー整理保持具。
【請求項６】
前記回転支持部及び前記土台部を含む全体を持ち運ぶための把手が前記回転軸上又は前記回転軸の近傍に設けられている請求項１〜５のいずれかに記載のクラフトワイヤー整理保持具。
【請求項７】
前記把手は、鉛直方向に交差する棒状の交差部を有し、
前記交差部の両端部には、上方へ向かって突出する突出部が形成されている請求項６に記載のクラフトワイヤー整理保持具。
【発明の詳細な説明】
【技術分野】
【０００１】
本発明は、クラフトに用いられる小物を整理した状態で保持する整理保持具に係り、特にクラフトワイヤーの保持を適正化したクラフトワイヤー整理保持具に関する。
【背景技術】
【０００２】
クラフトの一例としてプリザーブドフラワーや生花を用いてデザインされる装飾品は、太さや色、長さが異なる多種類のクラフトワイヤーを用いて一品毎に手作業で制作されるものであり、作業効率を向上させるため多種多様なワイヤーを整理した状態に保持するものが望まれる。
【０００３】
ワイヤーを整理した状態に保持するものとして非特許文献１及び非特許文献２には、上方に開口した箱に複数のパイプが直立した状態で束になって格納され、このパイプ内にクラフトワイヤーを挿入してワイヤーを保持するスタンドが開示されている。このようなスタンドは、一般的に作業机上に載置されて使用される。
【先行技術文献】
【非特許文献】
【０００４】
【非特許文献１】「Ｆｌｏｒａｌ Ｓｔｙｒｉｓｔ  花の資材総合カタログ」、松村工芸株式会社、平成１９年３月３０日、Ｐ１９
【非特許文献２】「Ｆｌｏｗｅｒ  Ｍａｔｅｒｉａｌｓ  Ｃａｔａｌｏｇ」、株式会社東京堂、２００８年、Ｐ８９
【発明の概要】
【発明が解決しようとする課題】
【０００５】
しかしながら、上記従来のスタンドでは、所望のワイヤーを保持するパイプが作業者から見て他のパイプの奥にある場合に、手前のパイプに保持されるワイヤー等を迂回しなければならず、所望のワイヤーが取りにくいものである。
【０００６】
また、複数のパイプが束になりパイプ同士が接触しているので、隣り合うワイヤー同士が近接してワイヤーがつまみにくいばかりか、所望のワイヤーの隣にあるワイヤー等に手が接触してワイヤーを不意に変形させてしまうことや、スタンドによっては転倒してしまう等の不具合が生じる。
【０００７】
さらに、作業者が複数いる場合には、作業者毎に多種類のワイヤーを用意するのは冗長性が増して好ましくないので、ワイヤーやその他クラフトに用いる小物を複数の作業者で共有できるのが好ましい。
【０００８】
本発明は、このような課題に着目してなされたものであって、その目的は、クラフトワイヤーを手に取る際に不具合が生じることを防止しつつ、所望のワイヤーを取りやすくして作業効率を向上させ、併せて複数の作業者に共有可能な新たなクラフトワイヤー整理保持具を提供することである。
【課題を解決するための手段】
【０００９】
本発明は、かかる目的を達成するために、次のような手段を講じたものである。
すなわち、本発明に係るクラフトワイヤー整理保持具は、棒状のクラフトワイヤーを保持する整理保持具であって、前記クラフトワイヤーを保持する有底筒状の複数のパイプが起立状態で設けられる回転支持部と、鉛直方向の回転軸を中心として前記回転支持部を回転自在に支持する土台部とを具備してなり、前記複数のパイプは、隣り合うパイプ間に間隙が設けられるように前記回転支持部の回転する方向に沿って配置されていることを特徴とする。
【００１０】
この構成によれば、回転支持部が土台部により鉛直方向の回転軸を中心として回転自在に支持されており、クラフトワイヤーを保持する複数のパイプが回転支持部の回転する方向に沿って起立状態で配置されているので、所望のワイヤーを保持するパイプが奥にある場合であっても回転支持部を回転させることにより所望のワイヤーを保持するパイプを手前に移動させて所望のワイヤーが取りやすくなり、作業性を向上させることができる。
また、隣り合うパイプ間に間隙を設けているので、ワイヤーの側方に空間が生じてワイヤーがつかみやすくなり、さらに所望のワイヤーをつかむ際に隣のパイプに保持されるワイヤーに手が接触してワイヤーを変形させてしまうことを低減することができる。
さらに、回転支持部の回転を通じてクラフトワイヤーを複数の作業者で共有することが可能となる。
【００１１】
特に、ワイヤーを取る時に隣のパイプに保持されるワイヤーに接触してワイヤーを変形させてしまう不具合を的確に防止するためには、前記複数のパイプは、第１パイプ又は前記第１パイプより短い第２パイプのいずれか一方に属し、第１パイプと第２パイプとが隣り合い且つ両パイプの開口端の高さ位置が異なるように配置されていることが好ましい。
【００１２】
短くなったワイヤーの再利用を促してワイヤーの消費量を低減させるためには、前記複数のパイプ以外に前記第２パイプよりも短い第３パイプを設けていることが望ましい。
【００１３】
ワイヤーだけでなくクラフトで用いるハサミやステープラー等の小物を複数の作業者で共有するためには、前記回転支持部は、前記複数のパイプを支持する位置に板状の支持板を有し、前記支持板にクラフトに用いる小物を引っ掛けて保持するための引っ掛け部が形成されていることが効果的である。
【００１４】
同様に、クラフトで用いる小物を複数の作業者で共有するためには、前記回転支持部は、前記複数のパイプを支持する位置に板状の支持板を有し、前記支持板の周端部が中心部よりも高く形成されていることが効果的である。
【００１５】
クラフトワイヤーやその他の小物を含めたクラフト用具一式を偏荷重を受けることなく一体に持ち運ぶためには、前記回転支持部及び前記土台部を含む全体を持ち運ぶための把手が前記回転軸上又は前記回転軸の近傍に設けられていることが好ましい。
【００１６】
輪状テープ等の小物を把手に掛けて有効利用するためには、前記把手は、鉛直方向に交差する棒状の交差部を有し、前記交差部の両端部には、上方へ向かって突出する突出部が形成されていることが望ましい。
【発明の効果】
【００１７】
本発明は、以上説明したように、回転自在な回転支持部に複数のパイプが回転支持部の回転する方向に沿って配置されているので、所望のワイヤーを取りやすくして作業効率を向上させるとともに、複数の作業者でワイヤーを共有することが可能となる。また、隣り合うパイプ間に間隙が設けられているので、クラフトワイヤーを手に取る際に生じ得る不具合が低減される。
【図面の簡単な説明】
【００１８】
【図１】本発明に係るクラフトワイヤー整理保持具の使用状態を示す斜視図。
【図２】同クラフトワイヤー整理保持具を示す正面図。
【図３】図２におけるＡ−Ａ線断面図。
【図４】図２におけるＢ−Ｂ線断面図。
【発明を実施するための形態】
【００１９】
以下、本発明の一実施形態に係るクラフトワイヤー整理保持具を、図面を参照して説明する。
図１に示す本実施形態のクラフトワイヤー整理保持具は、プリザーブドフラワーを利用した装飾品を制作する際に用いられる棒状のクラフトワイヤーＷｉを整理した状態に保持するものであり、複数のパイプ３が設けられた良質なステンレス製の回転支持部２と、回転支持部２を支持する土台部１とを備えている。
【００２０】
土台部１は、図２に示すように、ゴム製の滑り止め部１３を四隅に配置した四角板状のベース１１と、ベース１１の中央部に設けられたベアリング部１２とを有し、ベアリング部１２に接続された回転支持部２を鉛直方向の回転軸Ｃｎを中心として図１及び図２で示す矢印方向に回転自在に支持するものである。
【００２１】
回転支持部２は、上記のベアリング部１２に接続され回転軸Ｃｎに沿って配置される支持棒２３と、水平方向に沿って配置され多角形に形成された板状の支持板２０である底側支持板２１および上側支持板２２とを有し、底側支持板２１および上側支持板２２の中心部を支持棒２３が貫通してこれら支持棒２３と支持板２０（２１、２２）との位置関係が固定されている。複数のパイプ３は、図１に示すように、有底筒状に形成されてパイプ内に挿入されたクラフトワイヤーＷｉを保持するものであり、図１、図３及び図４に示すように、回転軸Ｃｎに沿って配置される支持棒２３を中心として回転する周方向に沿って起立状態で配置され、底側支持板２１および上側支持板２２にそれぞれ対応して設けられた図示しない孔を貫通して溶接固定されている。複数のパイプ３は、図３に示すように、第１パイプであるロングパイプ３１と、ロングパイプ３１より短い第２パイプであるハーフパイプ３２とのいずれかに属しており、ロングパイプ３１とハーフパイプ３２とが回転する方向に沿って同一円周上に交互に等間隔で並んで配置され、ロングパイプ３１とハーフパイプ３２とが隣り合っている。また、図２に示すように、ロングパイプ３１とハーフパイプ３２との下端部は底側支持板２１に固定され、底側支持板２１を基準としてロングパイプ３１の高さがＨ１で、ハーフパイプ３２の高さがＨ１より低いＨ２であり、両パイプの開口端の高さ位置が異なっている。勿論、本実施形態では、ロングパイプ３１とハーフパイプ３２とが同一円周上に等間隔で並んで配置されているが、回転する方向に沿っていれば千鳥足状に配置してもよい。
【００２２】
また、複数のパイプ３は、図２及び図３に示すように、支持棒２３を中心として下方内方から上方外方に向かって放射状に開いて各パイプ間に間隙Ｗ１が設けられており、各パイプが鉛直方向に対して傾斜し且つ各パイプの開口が外方に向いている。このように、各パイプが鉛直方向に対して傾斜しているので、パイプが直立している場合と比べてパイプ３内のワイヤーＷｉが一定の方向に常に倒れ回転動作を伴ってもばらけにくく、重心が安定する。また、各パイプ３の開口が外方を向いているので、外方にいる作業者がワイヤーＷｉを引き抜きやすくなる。
【００２３】
図４に示すように、ロングパイプ３１およびハーフパイプ３２の外周側にあたる底側支持板２１の周端部２１ａには、ロングパイプ３１及びハーフパイプ３２以外にハーフパイプ３２より短い第３パイプであるプチパイプ４が設けられている。このプチパイプ４には、ハーフパイプ３２で保持できない程短くなり、従来であれば捨てられていたような短いワイヤーＷｉが挿入される。なお、各パイプの長さは、図２に示すとおり、ロングパイプ３１の高さがＨ１で、ハーフパイプ３２の高さがＨ２で、プチパイプ４の高さがＨ３であり、Ｈ１＞Ｈ２＞Ｈ３である。
【００２４】
底側支持板２１の周端部２１ａには、図４に示すように、上方に向かって起立する起立壁７が周端部２１ａ全体に亘って形成され、底側支持板２１の中心部２１ｂよりも底側支持板２１の周端部２１ａが高く形成されており、この高低差により底側支持板２１に載置された小物が脱落しない。勿論、底側支持板２１の中心部２１ｂよりも周端部２１ａが高く形成されていれば、底側支持板２１全体を器のように湾曲させたものであってもよい。
【００２５】
上側支持板２２の周端部２２ａには、図１及び図３に示すように、クラフトで用いるハサミＳｃ等の小物を引っ掛けて保持するための引っ掛け部６が周端部２２ａに沿って適宜複数箇所に形成されている。本実施形態では、引っ掛け部６は上側支持板２２に形成された孔であるが、小物を引っ掛ける事ができれば凹部や突起部であってもよい。
【００２６】
回転軸Ｃｎに沿って配置される支持棒２３の上端部には、図１及び図２に示すように、整理保持具全体を持ち運ぶための把手５が形成されており、把手５は、支持棒２３に直交する棒状の交差部５１を主体として構成されている。この交差部５１の両端部には、上方に向かって突出する突出部５２と下方に向かって延びる延出部５３が形成されている。この延出部５３によって把手５から手が抜けることを防止している。
【００２７】
以上のように、本実施形態に係るクラフトワイヤー整理保持具は、棒状のクラフトワイヤーＷｉを保持するにあたり、クラフトワイヤーＷｉを保持する有底筒状の複数のパイプ３が起立状態で設けられる回転支持部２と、鉛直方向の回転軸Ｃｎを中心として回転支持部２を回転自在に支持する土台部１とを具備してなり、複数のパイプ３は、隣り合うパイプ間に間隙Ｗ１が設けられるように回転支持部２の回転する方向に沿って配置されていることを特徴とする。
【００２８】
本実施形態では、回転支持部２が土台部１により鉛直方向の回転軸Ｃｎを中心として回転自在に支持されており、クラフトワイヤーＷｉを保持する複数のパイプ３が回転支持部２の回転する方向に沿って起立状態で配置されているので、所望のワイヤーＷｉを保持するパイプ３が奥にある場合であっても回転支持部２を回転させることにより所望のワイヤーＷｉを保持するパイプ３を手前に移動させて所望のワイヤーＷｉが取りやすくなり、作業性を向上させることができる。
また、隣り合うパイプ間に間隙Ｗ１を設けているので、ワイヤーＷｉの側方に空間が生じてワイヤーＷｉがつかみやすくなり、さらに所望のワイヤーをつかむ際に隣のパイプ３に保持されるワイヤーに手が接触してワイヤーを変形させてしまうことを低減することができる。
さらに、回転支持部２の回転を通じてクラフトワイヤーＷｉを複数の作業者で共有することが可能となる。
【００２９】
特に、同じ長さのパイプ同士が隣り合っていると、ワイヤーをつかむ位置の高さが同様であるので、ワイヤーをパイプから取るときに隣のパイプに保持されるワイヤーに手が接触してワイヤーを変形させてしまうことがあるが、本実施形態では、複数のパイプ３は、第１パイプであるロングパイプ３１又は第１パイプであるロングパイプ３１より短い第２パイプであるハーフパイプ３２のいずれか一方に属し、第１パイプであるロングパイプ３１と第２パイプであるハーフパイプ３２とが隣り合い且つ両パイプの開口端の高さ位置が異なるように配置されているので、ワイヤーＷｉをつかむ位置の高さが互いに異なり、ワイヤーＷｉを取るときに隣のパイプ３に保持されるワイヤーＷｉに接触してワイヤーＷｉを変形させてしまう不具合を的確に防止することが可能となる。
【００３０】
また、本実施形態では、複数のパイプ３以外に第２パイプであるハーフパイプ３２よりも短い第３パイプであるプチパイプ４を設けているので、第２パイプであるハーフパイプ３２で保持できないほど短くなったワイヤーＷｉを第３パイプであるプチパイプ４で保持して、捨てられていたような短くなったワイヤーＷｉの再利用を促し、ワイヤーＷｉの消費量を低減させることが可能となる。
【００３１】
さらに、本実施形態では、回転支持部２は、複数のパイプ３を支持する位置に板状の支持板２０（２１、２２）を有し、支持板２０にクラフトに用いる小物を引っ掛けて保持するための引っ掛け部６が形成されているので、ワイヤーＷｉだけでなくクラフトで用いるハサミＳｃやステープラー等の小物を引っ掛けて保持でき、回転支持部２の回転を通じて引っ掛けた小物を複数の作業者で共有することが可能となる。
【００３２】
同様に、本実施形態では、回転支持部２は、複数のパイプ３を支持する位置に板状の支持板２０（２１、２２）を有し、支持板２０の周端部が中心部よりも高く形成されているので、クラフトで用いる小物を支持板２０に載置でき、回転支持部２の回転を通じて載置した小物を複数の作業者で共有することが可能となる。
【００３３】
その他、本実施形態では、複数のパイプ３が回転支持部２の回転する方向に沿って配置されており、重心が回転軸Ｃｎ上又はその近傍にあることが多く、回転支持部２及び土台部１を含む全体を持ち運ぶための把手５が回転軸Ｃｎ上又は回転軸Ｃｎの近傍に設けられているので、水平方向における把手５と重心位置とが近くなり、クラフトワイヤーＷｉやその他の小物を含めたクラフト用具一式を偏荷重を受けることなく一体に持ち運ぶことが可能となる。
【００３４】
最後に、把手５が鉛直方向に交差する棒状の交差部５１を有し、交差部５１の両端部には、上方へ向かって突出する突出部５２が形成されているので、交差部５１に掛けた小物が抜け落ちなくなり、輪状テープ等の小物を把手５に掛けて有効利用することが可能となる。
【００３５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００３６】
例えば、本実施形態では、引っ掛け部を上側支持板に形成しているが、底側支持板に設けてもよく、上側支持板及び底側支持板以外に支持板を更に設けてこの支持板に引っ掛け部を設けてもよい。また、底側支持板の周端部を中心部よりも高く形成しているが、上側支持板や他に設けた支持板を同様に構成してもよい。
【００３７】
その他、各部の具体的な構成は、上述した実施形態のみに限定されるものではなく、本発明の趣旨を逸脱しない範囲で種々変形が可能である。
【符号の説明】
【００３８】
１…土台部、２…回転支持部、２０…支持板、２１…底側支持板、２２…上側支持板、３…パイプ、３１…第１パイプ（ロングパイプ）、３２…第２パイプ（ハーフパイプ）、４…第３パイプ（プチパイプ）、５…把手、５１…交差部、５２…突出部、６…引っ掛け部、７…起立壁、Ｃｎ…回転軸、Ｗｉ…クラフトワイヤー、Ｗ１…間隙
【図１】
2011038217.tif 000003
【図２】
2011038217.tif 000004
【図３】
2011038217.tif 000005
【図４】
2011038217.tif 000006